(57)【要約】【課題】筒状のハウジング内にハリス等を差込み、その上で反対側に引っ張るだけで抜け止めできるので、係止体に筒体をはめ外しするという面倒な手間をかけることなく、ワンタッチで釣糸を連結することができる釣糸のワンタッチ式連結具を提供することを目的とするものである。【解決手段】テーパ状断面に形成した筒状ハウジングと、この筒状ハウジングの大径の開口端部に取り付けられ、釣糸が挿通される釣糸挿通孔を適宜に設けた上蓋と、筒状ハウジング内に収納した球状ストッパとを備え、小径の開口端部から釣糸を挿通して前記釣糸挿通孔から引き出し、その後小径の開口端部側から釣糸を引き抜く方向に引っ張ることにより、釣糸を球状ストッパと筒状ハウジングの内壁との間で挟み込んで固定するようにしたことを特徴とする釣糸のワンタッチ式連結具。【選択図】  図１
2005046134.tif 000002
【特許請求の範囲】
【請求項１】
テーパ状断面に形成した筒状ハウジングと、この筒状ハウジングの大径の開口端部に取り付けられ、釣糸が挿通される釣糸挿通孔を適宜に設けた上蓋と、筒状ハウジング内に収納した球状ストッパとを備え、小径の開口端部から釣糸を挿通して前記釣糸挿通孔から引き出し、その後小径の開口端部側から釣糸を引き抜く方向に引っ張ることにより、釣糸を球状ストッパと筒状ハウジングの内壁との間で挟み込んで固定するようにしたことを特徴とする釣糸のワンタッチ式連結具。
【請求項２】
筒状ハウジング内の小径の開口端部と球状ストッパとの間に筒状ハウジング内面のテーパ状断面に沿ったテーパ状断面を有するスペーサを介在させたことを特徴とする請求項１に記載の釣糸のワンタッチ式連結具。
【請求項３】
筒状ハウジングの大径の開口端部に取り付けられ、釣糸が挿通される釣糸挿通孔を適宜に設けた上蓋には、丸環が取り付けられていることを特徴とする請求項１または２に記載の釣糸のワンタッチ式連結具。
【請求項４】
筒状ハウジングの大径の開口端部に取り付けられ、釣糸が挿通される釣糸挿通孔を適宜に設けた上蓋には、スイベルが取り付けられていることを特徴とする請求項１ないし３のいずれかに記載の釣糸のワンタッチ式連結具。
【請求項５】
スイベルが、有底ハウジングと、有底ハウジングの底部に設けた軸孔に有底ハウジングの内側からベアリングを介在させてはめ込んだ回転軸と、有底ハウジングの開口端部に取り付けた、回転軸の傘状の先端を回転自由に受け止める皿状蓋部とを備え、回転軸と皿状蓋部に突設した連結軸とを、それぞれ釣糸のワンタッチ式連結具の筒状ハウジングに取り付けられた上蓋に連結固定したことをも特徴とする請求項１ないし４のいずれかに記載の釣糸のワンタッチ式連結具。
【発明の詳細な説明】
【技術分野】
【０００１】
この発明は、道糸とハリスや、ルアーとを接続する場合等に使用する釣糸のワンタッチ式連結具の改良に関する。
【背景技術】
【０００２】
従来、例えば道糸と接続糸例えばハリスとの間に設けられた釣糸の接続具としては、道糸を筒の中に通して先端に抜け止め用の係止体を取り付け、道糸にハリスを巻付けた上で道糸を引き、係止体に筒を外嵌めすることによってハリスを筒と係止体とで締付け保持し、接続するものが知られている（特開平９−３７６９１号公報  特許文献１参照）。
【０００３】
また、丸環を取り付けた軸棒に棒状体を固定し、棒状体には上部から下方に向かう切込みおよび下向きにくぼみ又は突起を付設するとともに、この切込みに両端に鉤を結んだハリスを挿入して軸棒に取り付けた筒状ゴムを棒状体上に押し下げ、ハリスを切込みと、くぼみ又は突起に沿わせて、筒状ゴムで固定するものも知られている（実開平７−３６６５７号公報  特許文献２参照）。
【０００４】
同様に、筒状の外枠に釣糸を通し、周囲に複数の突条を形成したテーパピンを外枠内に差し込み、その上で釣糸を引っ張ることにより、突条が釣糸に食い込んで抜けないようにしたものも開発されている（実開昭６２−１４２２７５号公報  特許文献３参照）。なお実開昭４９−９７７９号公報（特許文献４参照）にも同様の機構が示されている。
【特許文献１】特開平９−３７６９１号公報
【特許文献２】実開平７−３６６５７号公報
【特許文献３】実開昭６２−１４２２７５号公報
【特許文献４】実開昭４９−９７７９号公報
【発明の開示】
【発明が解決しようとする課題】
【０００５】
上記いずれの先行技術も、抜け止め用の係止体とその外側にはめ込まれる筒体との間にハリス等を介在させ、係止体に筒体をはめ込んで固定するという点で軌を一にするものである。
【０００６】
しかしながら上記いずれの先行技術も、ハリスを係止体に絡ませ、その上で係止体に筒体をはめ込んで固定するという手順を必要としている。すなわち、
１）  係止体を筒体から外しておき、
２）  その後ハリスを係止体に絡ませ、
３）  その上で係止体に筒体をはめ込んで固定する
という面倒な作業を必要としていたのである。
【０００７】
そこでこの発明は、筒状のハウジング内にハリス等を差込み、その上で反対側に引っ張るだけで抜け止めできるので、係止体に筒体をはめ外しするという面倒な手間をかけることなく、ワンタッチで釣糸を連結することができる釣糸のワンタッチ式連結具を提供することを目的とするものである。
【課題を解決するための手段】
【０００８】
この発明の釣糸のワンタッチ式連結具は、テーパ状断面に形成した筒状ハウジングと、この筒状ハウジングの大径の開口端部に取り付けられ、釣糸が挿通される釣糸挿通孔を適宜に設けた上蓋と、筒状ハウジング内に収納した球状ストッパとを備え、小径の開口端部から釣糸を挿通して前記釣糸挿通孔から引き出し、その後小径の開口端部側から釣糸を引き抜く方向に引っ張ることにより、釣糸を球状ストッパと筒状ハウジングの内壁との間で挟み込んで固定するようにしたことを特徴とするものである。
【０００９】
この発明の釣糸のワンタッチ式連結具は、上記筒状ハウジング内の小径の開口端部と球状ストッパとの間に筒状ハウジング内面のテーパ状断面に沿ったテーパ状断面を有するスペーサを介在させたことをも特徴とするものである。
【００１０】
この発明の釣糸のワンタッチ式連結具は、上記筒状ハウジングの大径の開口端部に取り付けられ、釣糸が挿通される釣糸挿通孔を適宜に設けた上蓋には、丸環が取り付けられていることをも特徴とするものである。
【００１１】
この発明の釣糸のワンタッチ式連結具は、上記筒状ハウジングの大径の開口端部に取り付けられ、釣糸が挿通される釣糸挿通孔を適宜に設けた上蓋には、スイベルが取り付けられていることをも特徴とするものである。
【００１２】
この発明の釣糸のワンタッチ式連結具は、上記スイベルが、有底ハウジングと、有底ハウジングの底部に設けた軸孔に有底ハウジングの内側からベアリングを介在させてはめ込んだ回転軸と、有底ハウジングの開口端部に取り付けた、回転軸の傘状の先端を回転自由に受け止める皿状蓋部とを備え、回転軸と皿状蓋部に突設した連結軸とを、それぞれ釣糸のワンタッチ式連結具の筒状ハウジングに取り付けられた上蓋に連結固定したことをも特徴とするものである。
【発明の効果】
【００１３】
この発明によれば、筒状のハウジング内にハリス等を差込み、その上で反対側に引っ張るだけで抜け止めできるので、係止体に筒体をはめ外しするという面倒な手間をかけることなく、ワンタッチで釣糸を連結することができる釣糸のワンタッチ式連結具を提供することが可能となった。
また、球状ストッパで抜け止めするようにしたので、結んで結束した場合のような釣糸の切れ等もなく、釣糸の寿命を大幅にアップさせることができる。
さらに、ハリス等の釣糸が切れた場合にも、釣糸を大径の開口端部の側から引っ張ることにより、釣糸を簡単に取り外すことができる。
【発明を実施するための最良の形態】
【００１４】
以下この発明の釣糸のワンタッチ式連結具の実施の形態について、図面に基いて詳細に説明する。
図１はこの発明の釣糸のワンタッチ式連結具の１実施例を示す概略断面図、図２はその平面図、図３は他の実施例を示す概略断面図、図４は別の実施例を示す概略断面図、図５はスイベルを示す概略断面図、図６はその分解状態の側面図、また図７は全体を連結した状態を示す概略断面図、図８はさらに別の実施例を示す概略断面図である。
【００１５】
図１および図２に示す釣糸のワンタッチ式連結具の実施例においては、テーパ状断面に形成した筒状ハウジング１１と、この筒状ハウジング１１の大径の開口端部２１に取り付けられ、釣糸３１が挿通される釣糸挿通孔１３を適宜個数および間隔で設けた上蓋１２と、筒状ハウジング１１内に収納した大小２つの球状ストッパ１４，１５とを備えている。
上記筒状ハウジングは金属やプラスチック、セラミック等で作製され、例えば大小２つの球状ストッパ１４，１５がその内側の適宜位置で係止するようなテーパ状断面に形成されている。
【００１６】
上蓋１２も同様の素材で作製されており、筒状ハウジング１１の大径の開口端部２１内側に設けた段差２３にはめ込んで、接着剤や熱融着、伏せ込み（外壁を上蓋１２上に被せる）等の手段で固定される。
釣糸３１が挿通される釣糸挿通孔１３の個数や間隔は、製品のサイズや釣糸３１の太さ、その他の要因を考慮して適宜決定することができる。
【００１７】
１６は丸環で、上蓋１２の中央に開けた取付孔１７に差し込まれ、ワッシャ１８を介在させた上でカシメ等の手段で抜け止めすることにより連結されている。このようにワッシャ１８を介して固定することにより、丸環１６と筒状ハウジング１１とは互いに自由に回転することができる。
【００１８】
以上のように構成したこの実施例においては、筒状ハウジング１１の小径の開口端部２２から釣糸３１を挿通して前記釣糸挿通孔１３から引き出し、その後小径の開口端部２２側から釣糸３１を引き抜く方向に引っ張ることにより、釣糸３１を球状ストッパ１４，１５と筒状ハウジング１１の内壁との間で挟み込んで簡単に固定することができる。
【００１９】
図３はこの発明に係る釣糸のワンタッチ式連結具の他の実施例を示すものである。
基本的な構造は図３に示すように上記実施例と同様であるが、丸環１６は上蓋１２の中央に一体的に形成されている。したがって、上記実施例よりもかなり単純な構造となる。
【００２０】
次に図４ないし図７はこの発明に係る釣糸のワンタッチ式連結具の別の実施例を示すものである。
基本的な構造は図４に示すように上記各実施例と同様であるが、筒状ハウジング４１の大径の開口端部５１に取り付けられ、釣糸６１が挿通される釣糸挿通孔４３を適宜に設けた上蓋４２には、スイベル７１が取り付けてある。
【００２１】
上記スイベル７１は、図５および図６に示すように、ほぼ筒状の有底ハウジング７２と、有底ハウジング７２の底部に設けた軸孔７３に有底ハウジング７２の内側からベアリング７５を介在させてはめ込んだ回転軸７４と、有底ハウジング７２の開口端部５１に取り付けた、回転軸７４の傘状の先端７６を回転自由に受け止めるピボット受け７８を設けた皿状蓋部７７とを備えている。そして組み立てに際しては、先ず有底ハウジング７２の底部にベアリング７５を介在させ、上記底部に設けた軸孔７３に有底ハウジング７２の内側から回転軸７４をはめ込む。その上で、回転軸７４の傘状の先端７６とピボット受け７８とを位置合わせしながら、皿状蓋部７７を有底ハウジング７２の開口端部５１の内側に設けた段差７９に収納する。その後、接着剤や熱融着、伏せ込み（外壁を上蓋１２上に被せる）等の手段で固定する。
【００２２】
このように構成したスイベル７１においては、有底ハウジング７２と皿状蓋部７７との間で回転軸７４は自由に回転し、釣糸６１のよりを防止したり、簡単により戻したりすることができる。
【００２３】
上記スイベル７１は、図７のように回転軸７４と皿状蓋部７７に突設した連結軸８０とを、それぞれ釣糸６１のワンタッチ式連結具の筒状ハウジング４１に取り付けられた上蓋４２に連結固定して用いられる。
すなわち、上蓋４２に設けた雌ネジに回転軸７４および連結軸８０先端の雄ネジをねじ込んで固定するだけで、釣糸６１同士を両側から連結することができる釣糸のワンタッチ式連結具となるのである。
【００２４】
図８にこの発明の釣糸のワンタッチ式連結具のさらに別の実施例を示す。この例においては球状ストッパ８１と筒状ハウジング８３の小径の開口端部８５との間に、筒状ハウジング８３内のテーパ状断面に沿ったテーパ状断面を有するスペーサ８７を介装している。
【００２５】
この実施例においても、筒状ハウジング８３の小径の開口端部８５から釣糸８９を挿通し、大径の開口端部９１に取り付けた上蓋９３の釣糸挿通孔９５から引き出している。その上で釣糸８９を小径の開口端部８５側から牽引すると、釣糸８９は筒状ハウジング８３内壁と、球状ストッパ８１およびスペーサ８７との間で挟み付けられ、筒状ハウジング８３内に確実に固着される。そしてその際、釣糸８９はこの球状ストッパ８１およびスペーサ８７とで広い面積で押圧されるので、釣糸８９が切断する危険が大幅に低減する。
【００２６】
上記各実施例では、各筒状ハウジングをほぼ直線上に配置した状態を例示したが、Ｌ字状や「く」の字状に配置してもよいことはもちろんである。
【産業上の利用可能性】
【００２７】
この発明によれば、道糸とハリスの連結に使用することができる。もちろん、上蓋に設けた釣糸挿通孔の数だけハリスを連結することが可能な釣糸のワンタッチ式連結具を提供することができる。
【００２８】
また、道糸に取り付けるルアーの連結や、その他各種の釣糸同士、あるいは釣糸と他の釣り道具類との連結等にも適宜使用することができ、しかもワンタッチで連結することができるのである。
したがって、大きな釣果が期待できる場面等において、あわてることなく迅速に釣糸を連結することができ、連続してより大きな釣果を得ることができるようになるのである。
さらに、ハリス等の釣糸が切れた場合にも、釣糸を大径の開口端部の側から引っ張ることにより、釣糸を簡単に取り外すことができる。
【図面の簡単な説明】
【００２９】
【図１】この発明の釣糸のワンタッチ式連結具の１実施例を示す概略断面図である。
【図２】その平面図である。
【図３】他の実施例を示す概略断面図である。
【図４】別の実施例を示す概略断面図である。
【図５】スイベルを示す概略断面図である。
【図６】その分解状態の側面図である。
【図７】全体を連結した状態を示す概略断面図である。
【図８】さらに別の実施例を示す概略断面図である。
【符号の説明】
【００３０】
１１  筒状ハウジング
１２  上蓋
１３  釣糸挿通孔
１４，１５  球状ストッパ
１６  丸環
１７  取付孔
１８  ワッシャ
２１  大径の開口端部
２２  小径の開口端部
２３  段差
３１  釣糸
４１  筒状ハウジング
４２  上蓋
４３  釣糸挿通孔
５１  大径の開口端部
６１  釣糸
７１  スイベル
７２  有底ハウジング
７３  軸孔
７４  回転軸
７５  ベアリング
７６  傘状の先端
７７  皿状蓋部
７８  ピボット受け
７９  段差
８０  連結軸
８１  球状ストッパ
８３  筒状ハウジング
８５  小径の開口端部
８７  スペーサ
８９  釣糸
９１  大径の開口端部
９３  上蓋
９５  釣糸挿通孔
【図１】
2005046134.tif 000003
【図２】
2005046134.tif 000004
【図３】
2005046134.tif 000005
【図４】
2005046134.tif 000006
【図５】
2005046134.tif 000007
【図６】
2005046134.tif 000008
【図７】
2005046134.tif 000009
【図８】
2005046134.tif 000010